(57)【要約】【課題】  従来の伸縮自在の電気掃除機のホースは、ホース外周に複数の鋼線及びリングが配置されているため、電気掃除機の取扱い時にこれらが邪魔になり、電気掃除機の取扱いが取扱い難くなるという問題があった。【解決手段】  本発明の電気掃除機のホースは、大径ホース１と小径ホース２とを組合せ、伸長時に、小径ホース２を大径ホース１から引き出し、両ホース１、２の端部側を、大径リング部材３に設けた径止部５を小径リング部材４に設けた径止受け部７に径止させ固定し、また、短縮時には、大径ホース１内に小径ホース２を挿入する。また、伸長時に、大径ホース１と小径ホース２とを引っ張り伸長し、係止部５が係止受け部７に係止されると同時に大径リング部材３の第１の段差部３ｃと小径リング部材４の第２の段差部４ｃとが当接面で当接する。【選択図】図１
2006174951.tif 000002
【特許請求の範囲】
【請求項１】
大径ホースと小径ホースとを組合せ、伸長時に、前記小径ホースを前記大径ホースから引き出し両ホースの端部側を固定し、また、短縮時に、前記大径ホース内に前記小径ホースを挿入する伸縮自在の電気掃除機のホースであって、
前記大径ホースの端部に前記大径ホースと同心の中空体である大径リング部材を取付け、該大径リング部材の内径は、前記大径ホース側を第１の内径とし、先端側を前記第１の内径より小さい第２の内径とし、両内径間に第１の段差部を形成し、
また、前記小径ホースの端部に前記小径ホースと同心である小径リング部材を取付け、該小径リング部材の外径は、前記小径ホース側を前記大径ホースの第２の内径の内径より小さいがほぼ同じ大きさの第１の外径とし、先端側を前記第１の外径より大きく、前記大径リング部材の第１の内径の内径より小さいがほぼ同じ大きさの第２の外径とし、両外径間に第２の段差部を形成し、
前記大径リング部材に、外部から係止を解除する解除レバー部を有する係止部を設け、
また、前記小径リング部材に前記係止部に対応する係止受け部を設け、
伸長時に、前記大径ホースと前記小径ホースとを引っ張り伸長し、前記係止部が前記係止受け部に係止され、同時に前記大径リング部材の前記第１の段差部と前記小径リング部材の前記第２の段差部とが当接面で当接することを特徴とする電気掃除機のホース。
【請求項２】
前記第１の段差部と前記第２の段差部とは、テーパー状の当接面を有することを特徴とする請求項１に記載の電気掃除機のホース。
【請求項３】
前記第１の段差部と前記第２の段差部との当接面の少なくとも一方にシール部材を設置したことを特徴とする請求項１又は請求項２に記載の電気掃除機のホース。
【請求項４】
前記係止部は、前記大径リング部材の前記第１の内径側に軸支されることにより取付けられ、そして、軸支された一方側に、バネ部材のような付勢手段により、常時ホース中心軸側に付勢される係止爪部と、軸支された他方側に、前記付勢手段に対抗する前記解除レバー部とを有し、
また、前記係止受け部は、伸長時に、前記係止部の前記係止爪部に対応するように前記小径リング部材の前記第２の外径側の外周に設けられた溝であり、
伸長時に、前記付勢手段により、前記係止爪部が前記溝に挿入され、両ホースの端部が固定され、短縮時に、前記解除レバー部を押圧操作することにより、前記係止爪部が前記溝から外れ、係止解除されることを特徴とする請求項１〜請求項３のいずれかの請求項に記載の電気掃除機のホース。
【請求項５】
前記請求項１〜請求項４のいずれかの請求項に記載の電気掃除機のホースの前記大径ホースの前記大径リング部材を取付けてない側の端部を掃除機本体側に取付け、同じく前記小径ホースの前記小径リング部材を取付けてない側の端部を床ヘッド等の側に取付けたことを特徴とする電気掃除機。
【発明の詳細な説明】
【技術分野】
【０００１】
本発明は、電気掃除機のホース及びこのホースを用いた電気掃除機に関し、特に、大径ホースと小径ホースを組合せて伸縮自在とした電気掃除機のホースに関するものである。
【背景技術】
【０００２】
従来の伸縮自在とした電気掃除機のホースには、次のようなものであった。
ホースの一端が接続した接続パイプの外周部にホース長手方向に保持した第１鋼線を設け、この鋼線をホース外周に摺動自在に設けた第１リングの第１貫通孔を通した後、第２リングに保持固定する。また、ホースの他端が接続した回転パイプ側も同様にホースの外周にホースの長手方向に第２鋼線を第１鋼線の取付け位置とほぼ９０度位置をずらした異なる位置に設け、第２リングに設けた第２貫通孔を通した後、第１リングに保持固定する。そして、第１リングに嵌合し、保持するびじょうを第２リングに設ける（例えば、特許文献１参照）。
【特許文献１】特開平４−１２２３２８号公報（第３頁、第１図〜第７図）
【発明の開示】
【発明が解決しようとする課題】
【０００３】
上記従来の伸縮自在とした電気掃除機のホースは、電気掃除機に取付けた場合、電気掃除機の使用時には伸長でき、また、格納時には短縮できるが、ホース外周に複数の鋼線及びリングが配置されているため、電気掃除機の取扱い時にこれらが邪魔になり、電気掃除機の取扱いが取扱い難くなるという問題があった。
【０００４】
本発明は、上記のような課題を解決するためになされたもので、電気掃除機に取付けた場合、電気掃除機の取扱いに支障をきたすことがない伸縮自在の電気掃除機のホースを得ることを目的とする。
また、伸長時に大径ホースと小径ホースとの接続部が隙間なく固定でき、電気掃除機に取付けた時、電気掃除機の吸込み性能を低下させることがなく、騒音の小さい電気掃除機のホースを得ることを目的とする。
また、伸長及び短縮が容易であり、電気掃除機に取付けた時、収納性の良い電気掃除機のホースを得ることを目的とする。
また、このような電気掃除機のホースを取付けたことにより、電気掃除機の吸込み性能を低下させることがなく、騒音の小さい電気掃除機を得ることを目的とする。
【課題を解決するための手段】
【０００５】
本発明の電気掃除機のホースは、大径ホースと小径ホースとを組合せ、伸長時に、小径ホースを大径ホースから引き出し両ホースの端部側を固定し、また、短縮時に、大径ホース内に小径ホースを挿入する伸縮自在の電気掃除機のホースであって、
大径ホースの端部に大径ホースと同心の中空体である大径リング部材を取付け、該大径リング部材の内径は、大径ホース側を第１の内径とし、先端側を第１の内径より小さい第２の内径とし、両内径間に第１の段差部を形成し、また、小径ホースの端部に小径ホースと同心である小径リング部材を取付け、該小径リング部材の外径は、小径ホース側を大径ホースの第２の内径の内径より小さいがほぼ同じ大きさの第１の外径とし、先端側を第１の外径より大きく、大径リング部材の第１の内径の内径より小さいがほぼ同じ大きさの第２の外径とし、両外径間に第２の段差部を形成し、
大径リング部材に、外部から係止を解除する解除レバー部を有する係止部を設け、また、小径リング部材に係止部に対応する係止受け部を設け、
伸長時に、大径ホースと小径ホースとを引っ張り伸長し、係止部が係止受け部に係止され、同時に大径リング部材の第１の段差部と小径リング部材の第２の段差部とが当接面で当接するものである。
【発明の効果】
【０００６】
本発明の電気掃除機のホースは、大径ホースと小径ホースとを組合せ、伸長時に、小径ホースを大径ホースから引き出し、両ホースの端部側を大径リング部材に設けた係止部を小径リング部材に設けた係止受け部に係止させ固定し、また、短縮時には、大径ホース内に小径ホースを挿入するので、電気掃除機に取付けた場合、電気掃除機の取扱いに支障をきたすことがない伸縮自在で、伸長時に負圧による短縮のない、収納性の良い電気掃除機のホースを得ることができる。
また、伸長時に、大径ホースと小径ホースとを引っ張り伸長し、係止部が係止受け部に係止されると同時に大径リング部材の第１の段差部と小径リング部材の第２の段差部とが当接面で当接するので、伸長時に大径ホースと小径ホースとの接続部が隙間なく固定でき、電気掃除機に取付けた時、電気掃除機の吸込み性能を低下させることがなく、騒音の小さい電気掃除機のホースを得ることができる。
【発明を実施するための最良の形態】
【０００７】
実施の形態１．
図１は、実施の形態１の電気掃除機のホースの伸長時に大径ホース接続部と小径ホース接続部とを近づけた状態を示す両接続部の要部断面図であり、図２は、同じく大径ホース接続部と小径ホース接続部とを固定する直前の状態を示す両接続部の要部断面図であり、図３は、同じく大径ホース接続部と小径ホース接続部とを固定した状態を示す両接続部の要部断面図であり、図４は、実施の形態１の電気掃除機のホースを電気掃除機に取り付けた掃除時の電気掃除機を示す斜視図であり、図５は、同じく収納時の電気掃除機を示す斜視図である。
【０００８】
これらの図により本実施の形態の電気掃除機のホースを説明する。
本電気掃除機のホースは、径の大きな中空の蛇腹ホースである大径ホース１と径の小さな中空の蛇腹ホースである小径ホース２とを組合せ、伸長時に両ホース１、２を直列に配置し、端部で接続、固定し、長いホースとし、短縮時に大径ホース１内に小径ホース２を収納させ短いホースとするものである。
大径ホース１の一端部は小径ホース２の小径ホース接続部と接続する大径ホース接続部であり、もう一方の端部は掃除機本体９側に接続する。また、小径ホース２の一端部は大径ホース接続部と接続部内で接続する小径ホース接続部であり、もう一方の端部は手元ハンドル１１に接続する等床ヘッド側となる。
【０００９】
大径ホース接続部は、大径ホース１の端部に固定した大径リング部材３、係止部であるスイッチ部材５、付勢手段であるバネ部材６及びシール部材８等から構成される。
大径リング部材３は、大径ホース１の端部に接続、固定され、端部から突出し、大径ホース１と同心で、ほぼ同内径の中空体であり、大径ホース１側のリング部３ａ（この内径を第１の内径とする）と、リング部３ａの先端部から大径ホース１の中心軸側（リング３ａの内部側）に突出する突出部で形成される小径リング部３ｂ（この内径を第２の内径とする）とを有する。この小径リング部３ｂの第２の内径は、小径ホース２の外径より大きいが、ほぼ同径である。そこで、小径リング部３ｂの大径ホース側（第１の内径と第２の内径間）に段差部３ｃ（この段差部を第１の段差部３ｃとする）が形成される。
【００１０】
係止部であるスイッチ部材５は、リング部３ａから外部に突出する解除レバー部５ａと、リング部３ａからリング部３ａの内部側に突出する係止爪部５ｂと、両者を連結する連結部５ｃとを有し、連結部５ｃの長手方向の両端からそれぞれ解除レバー部５ａと係止爪部５ｂとがほぼ直角に、反対方向に立設するＬ字体の組合せからなる棒状体である。このスイッチ部材５は、連結部５ｃの長手方向の中心部が軸支され、両端部の解除レバー部５ａ及び係止爪部５ｂがこの軸支部を中心にして上下動可能なようにリング部３ａに設置される。
バネ部材６は、リング部３ａに取付けられ、スイッチ部材５の連結部５ｃの軸支部より解除レバー部５ａ側で、連結部５ｃの解除レバー部５ａ側の端部を、通常は押し上げるように取付けられている。そこで、係止爪部５ｂは、通常リング部３ａの内部側に付勢されている。
シール部材８は、大径リング部材３の小径リング部３ｂの大径ホース１側の面、即ち、第１の段差部３ｃの面に取付けられる。
【００１１】
小径ホースの接続部は、小径ホース２の端部に固定した係止受け部である溝７を有する小径リング部材４等から構成され、大径ホース１内に収納され、大径ホース１及び大径ホース接続部のリング部３ａ内を摺動可能である。
小径リング部材４は、小径ホース２の端部に接続、固定され、端部から突出し、小径ホース２と同心で、ほぼ同内径の中空体であり、外径が大径リング部材３のリング部３ａの第１の内径より小さいがほぼ同径の先端側のリング部４ａ（この外径を第２の外径とする）と、リング部４ａに連続し、小径ホース側のやや径小の小径リング部４ｂ（この外径を第１の外径とする）とを有する。そして、リング部４ａの小径ホース２側（第１の外径と第２の外径間）に、段差部４ｃ（この段差部を第２の段差部とする）が形成される。
そこで、第１の段差部３ｃの面と第２の段差部４ｃの面とは、向き合うことになる。
また、小径リング部材４のリング部４ａの外周上に一周する溝７が設けられている。
【００１２】
次に、動作について説明する。
まず、本電気掃除機のホースを延伸する場合を説明する。
図１に、電気掃除機のホースの伸長時に両ホース１、２を引っ張り、大径ホース接続部と小径ホース接続部とを近づけた状態を示しているが、この状態から更に大径ホース１と小径ホース２をそれぞれＢ方向、Ａ方向に引っ張ると、図２に示すように、スイッチ部材５の係止爪部５ｂが、小径リング部材４の第２の段差部４ｃに当り、持ち上げられる。更に両ホース１、２を引っ張ると、図３に示すように、係止爪部５ｂが小径リング部材４のリング部４ａに設けた溝７に達することによりバネ部材６に押圧されて溝７にはまり込む。同時に、第１の段差部３ｃの面と第２の段差部４ｃの面とが当接し、当接面を形成する。
このように、大径ホース接続部と小径ホース接続部とが接続、固定される。このときが本電気掃除機のホースの最長の伸長状態である。但し、両ホース１、２の蛇腹形状による伸長の追加は可能である。
【００１３】
このように両ホース１、２が伸長され、係止爪部５ｂが溝７にはまり込み大径ホース接続部と小径ホース接続部とが接続、固定されることにより、両ホース１、２が短縮すること及び大径ホース１から小径ホース２が抜けることが防止できる。
また、互いに対向する大径リング部材３の第１の段差部３ｃの面と小径リング部材４の第２の段差部４ｃの面とが当接するので、大径リング部材３と小径リング部材４との接続部には隙間がなくなる。特に、シール部材８を第１の段差部３ｃの面に取付ければ一層シール性が確実となる。また、シール部材８は、両段差部３ｃ、４ｃの対向面のどちら側に取付けても良く、また、両面に取付けても良い。
また、両段差部３ｃ、４ｃの対向面が当接することにより両ホース１、２の抜け防止ともなる。
そこで、本電気掃除機のホースを図４に示すように、電気掃除機に取付け伸長状態で掃除を行う場合に、両ホース１、２の接続部に隙間が生じないので、接続部から外部空気の吸込みがなく、空気流入音がないので低騒音化が可能となる。また、掃除機本体９への吸込み空気流は、ほとんど床ヘッド１０からとなるので、吸塵性能も良好となる。
【００１４】
次に、伸長したホースを短縮する場合を説明する。
図３の状態からスイッチ部材５の解除レバー部５ａを押すことにより、バネ部材６の押圧にうち勝って係止爪部５ｂを溝７から外すことができる。係止爪部５ｂを溝７から外すことにより、小径ホース２は大径ホース１内に押し込むことができるようになり、小径ホース２を大径ホース１内に収納させる。このようにして、ホースを短縮する。
そこで、図５に示すように、本電気掃除機のホースを電気掃除機に取付け、電気掃除機を収納する場合は、ホースを短縮することにより、ホースの外形寸法を小さくできコンパクトに収納できる。
なお、電気掃除機を収納時にホースを短縮するとき、スイッチ部材５の係止爪部５ｂを溝７から外し、電気掃除機を運転状態とすれば、小径ホース２に負圧が働き、小径ホース２を大径ホース１に入れ込む動作を楽に行うことができる。
【００１５】
係止部であるスイッチ部材５と係止受け部である溝７とは、それぞれ、大径リング部材３のリング部３ａ及び小径リング部材４のリング部４ａに設ける代りに小径リング部３ｂおよび小径リング部４ｂに設けてもよい。
【００１６】
本電気掃除機のホースは、大径ホース１と小径ホース２とを組合せ、伸長時に、小径ホース２を大径ホース１から引き出し、両ホース１、２の端部側を大径リング部材３に設けた係止部であるスイッチ部材５を小径リング部材４に設けた係止受け部である溝７に係止させ固定し、また、短縮時には、スイッチ部材５の解除レバー部５ａを操作し、係止解除し、大径ホース１内に小径ホース２を挿入するので、電気掃除機に取付け場合、電気掃除機の取扱いに支障をきたすことがない伸縮自在で、負圧による短縮のない、収納性の良い電気掃除機のホースを得ることができる。
また、伸長時に、大径ホース１と小径ホース２とを引っ張り伸長し、係止部であるスイッチ部材５が係止受け部である溝７に係止されると同時に大径リング部材３の第１の段差部３ｃと小径リング部材４の第２の段差部４ｃとが当接面で当接するので、伸長時に大径ホース１と小径ホース２との接続部が隙間なく固定でき、電気掃除機に取付けた時、電気掃除機の吸込み性能を低下させることがなく、騒音の小さい電気掃除機のホースを得ることができる。
【００１７】
また、本電気掃除機のホースは、第１の段差部３ｃと第２の段差部４ｃとの当接面の少なくとも一方にシール部材８を設置したので、伸長時に接続部を固定したとき、より確実に隙間をなくすことができる。
【００１８】
また、本電気掃除機のホースは、大径リング部材３の第１の内径側であるリング部３ａに軸支されることにより取付けられた係止部であるスイッチ部材５として、軸支された一方側に、バネ部材６のような付勢手段により、常時ホース中心軸側に付勢される係止爪部５ｂと、軸支された他方側に、付勢手段であるバネ部材６に対抗する、外部操作可能な解除レバー部５ａとを有し、また、小径リング部材４の第２の外径側である小径リング部４ｂに設けた係止受け部として、伸長時に、スイッチ部材５の係止爪部５ｂに対応するように小径リング部材４の外周に設けられた溝７を有し、伸長時に、バネ部材６により、係止爪部５ｂが溝７に挿入され、両ホース１、２の端部側が固定され、短縮時に、解除レバー部５ａを押圧操作することにより、係止爪部５ｂが溝７から外れ、係止解除されるので、伸長時には、小径ホース１を大径ホース２から引き出すことにより、自動的にスイッチ部材５と溝７とで固定でき、また、短縮時には、解除レバー部５ａを押圧するだけで大径ホース１に小径ホース２を容易に収納できる。この時、本ホースを取付けた電気掃除機を運転状態とすれば、小径ホース２に負圧が働き、小径ホース２を大径ホース１に入れ込む動作が楽に行うことができる。
【００１９】
実施の形態２．
図６は、実施の形態２の電気掃除機のホースの伸長時に大径ホース接続部と小径ホース接続部とを近づけた状態を示す両接続部の要部断面図であり、図７は、同じく大径ホース接続部と小径ホース接続部とを接続、固定する直前の状態を示す両接続部の要部断面図であり、図８は、同じく大径ホース接続部と小径ホース接続部とを接続、固定した状態を示す両接続部の要部断面図であり、それぞれ、実施の形態１の図１、図２、図３に対応する。
本電気掃除機のホースは、実施の形態１の電気掃除機のホースの互いに対向する第１の段差部３ｃの面及び第２の段差部４ｃの面を、それぞれ、当接するテーパ状の面としたものである。即ち、図６〜図８に示すように大径リング部材３の小径リング部３ｂの大径ホース１側の面をテーパ面１５とし、小径リング部材４のリング部４ａの小径ホース２側の面をテーパ面１６としたものである。その他の構造、効果等は、実施の形態１の電気掃除機のホースと同様である。シール部材８も少なくとも一方の面に取付ければ隙間をなくし、シール効果が確実となることも同様である。
【００２０】
本電気掃除機のホースは、第１の段差部と第２の段差部とは、テーパー状の当接面１５、１６を有するようにしたので、当接面１５、１６の当接面積が大きくなり、両ホース１、２を伸長し、固定時に接続部の隙間を確実になくし、固定できる。
【００２１】
実施の形態１または実施の形態２の電気掃除機のホースは、大径ホース１と小径ホース２とを組合せ、伸長時に、小径ホース２を大径ホース１から引き出し両ホース１、２の端部側を固定し、また、短縮時に、大径ホース１内に小径ホース２を挿入する伸縮自在の電気掃除機のホースであって、
大径ホース１の端部に大径ホース１と同心の中空体である大径リング部材３を取付け、また、小径ホース２の端部に小径ホース２と同心であり、大径リング部材３及び大径ホース１内を摺動する小径リング部材４を取付け、
大径リング部材３に、軸支することによりスイッチ部材５のような係止部を取付け、また、この係止部は、軸支された一方側に、バネ部材６のような付勢手段により、常時ホース中心軸側に付勢される係止爪部５ｂと、軸支された他方側に、外部から係止を解除する付勢手段に対抗する解除レバー部５ａとを有し、
また、小径リング部材４に、伸長時に係止部に対応する外周に設けた溝７のような係止受け部を設け、
伸長時に、大径ホース１と小径ホース２とを引っ張り伸長することにより、付勢手段により係止部が係止受け部に係止され、両ホース１、２の端部側が固定され、短縮時に、解除レバー部５ａを押圧操作することにより、係止爪部５ｂが係止受け部から外れ、係止解除されるので、伸長時には、小径ホース１を大径ホース２から引き出すことにより、自動的に係止部と係止受け部とにより両ホース１、２を伸長状態で固定でき、また、短縮時には、解除レバー部５ａを押圧するだけで大径ホース１内に小径ホース２を容易に収納できる。この時、本ホースを取付けた電気掃除機を運転状態とすれば、小径ホース２に負圧が働き、小径ホース２を大径ホース１に入れ込む動作が楽に行うことができる。
【００２２】
実施の形態１または実施の形態２に記載の電気掃除機のホースの大径ホース１の大径リング部材３を取付けてない側の端部を掃除機本体９側に取付け、同じく小径ホース２の小径リング部材４を取付けてない側の端部を床ヘッド１０等の側に取付けることにより、取扱い易い、吸込み性能を低下させることがなく、騒音の小さい電気掃除機を得ることができる。
【図面の簡単な説明】
【００２３】
【図１】本発明の実施の形態１の電気掃除機のホースの伸長時に大径ホース接続部と小径ホース接続部とを近づけた状態を示す両接続部の要部断面図である。
【図２】本発明の実施の形態１の電気掃除機のホースの伸長時に大径ホース接続部と小径ホース接続部とを固定する直前の状態を示す両接続部の要部断面図である。
【図３】本発明の実施の形態１の電気掃除機のホースの伸長時に大径ホース接続部と小径ホース接続部とを固定した状態を示す両接続部の要部断面図である。
【図４】本発明の実施の形態１の電気掃除機のホースを電気掃除機に取付けた掃除時の電気掃除機を示す斜視図である。
【図５】本発明の実施の形態１の電気掃除機のホースを電気掃除機に取付けた収納時の電気掃除機を示す斜視図である。
【図６】本発明の実施の形態２の電気掃除機のホースの伸長時に大径ホース接続部と小径ホース接続部とを近づけた状態を示す両接続部の要部断面図である。
【図７】本発明の実施の形態２の電気掃除機のホースの伸長時に大径ホース接続部と小径ホース接続部とを接続、固定する直前の状態を示す両接続部の要部断面図である。
【図８】本発明の実施の形態２の電気掃除機のホースの伸長時に大径ホース接続部と小径ホース接続部とを接続、固定した状態を示す両接続部の要部断面図である。
【符号の説明】
【００２４】
１  大径ホース、２  小径ホース、３  大径リング部材、３ｃ  第１の段差部、４  小径リング部材、４ｃ  第２の段差部、５  係止部、５ａ  解除レバー部、５ｂ  係止爪部、６  付勢手段（バネ部材）、７  係止受け部（溝）、８  シール部材、９  掃除機本体、１０  床ヘッド、１５、１６  テーパ状の当接面。
【図１】
2006174951.tif 000003
【図２】
2006174951.tif 000004
【図３】
2006174951.tif 000005
【図４】
2006174951.tif 000006
【図５】
2006174951.tif 000007
【図６】
2006174951.tif 000008
【図７】
2006174951.tif 000009
【図８】
2006174951.tif 000010